(57)【要約】【課題】役物１６が所定の待機位置から降下することを安価な構成で適切に防止する。【解決手段】ラック３０が所定の待機位置に配置されたときにラック３０の降下を防止するようにラック３０を係止するロックレバー４０と、ラック３０を係止している状態のロックレバー４０に当接し、ラック３０の自重またはラック３０に作用する外力によって上記係止が解除されることを防止するストッパ６２とを備える。【選択図】図２
2015208483.tif 000002
【特許請求の範囲】
【請求項１】
役物が取り付けられたラックと、上記ラックの移動方向に沿って並べて配置された、駆動源から伝達される駆動力を上記ラックに伝達する複数のギヤとを備え、上記駆動力によって上記ラックを昇降動作させる役物昇降装置であって、
上記ラックが所定の待機位置に配置されたときに上記ラックの降下を防止するように上記ラックを係止するロックレバーと、
上記ラックを係止している状態の上記ロックレバーに当接し、上記ラックの自重または上記ラックに作用する外力によって上記係止が解除されることを防止するストッパとを備えていることを特徴とする役物昇降装置。
【請求項２】
上記ラックは、上記ロックレバーに当接する突出部を備えており、
上記ロックレバーは、
下方から上方に向かって上記ストッパから遠ざかる方向に傾斜した第１傾斜部と、
上記第１傾斜部よりも上方に設けられた、下方から上方に向かって上記ストッパに近づく方向に傾斜した第２傾斜部と、
上記第１傾斜部の上端部と上記第２傾斜部の下端部とを接続する堤部とを備えており、
上記ロックレバーにおける上記第２傾斜部よりも上方の位置において上記ロックレバーを回転可能に軸支する回転軸と、
上記ロックレバーを上記ストッパから遠ざかる方向に付勢する付勢部材とを備え、
上記ロックレバーは、
上記突出部が上記第１傾斜部に当接した状態で上記ラックが上方に移動することにより上記ストッパに近づく方向に回転し、上記突出部が上記堤部を超えてさらに上方に移動したときに上記付勢部材の付勢力により上記ストッパから遠ざかる方向に回転し、上記第２傾斜部を上記突出部に押し当てることで上記ラックを係止することを特徴とする請求項１に記載の役物昇降装置。
【請求項３】
複数の上記ギヤのうちの一つとともに上記駆動力によって回転駆動されるストッパリングを備え、
上記ストッパは、上記ストッパリングの外周面から径方向外側に突出するように配置されており、かつ、上記ストッパリングの径方向に沿った第１当接面と、上記ストッパリングの周方向に沿った第２当接面とを備え、
上記ロックレバーは、上記第１当接面に当接する第１表面と上記第２当接面に当接する第２表面とを備えており、
上記ラックの自重または上記ラックに作用する外力によって上記ロックレバーに当該ロックレバーを上記ストッパに近づく方向に回転させる力が作用したときに、上記第２表面と上記第２当接面とが当接することにより、上記ロックレバーの回転が規制されることを特徴とする請求項２に記載の役物昇降装置。
【請求項４】
上記ラックは、複数の上記ギヤのうち最も下方に配置されたギヤである下端ギヤと噛み合う歯面を備え、複数の上記ギヤのうち上記下端ギヤ以外のギヤは上記歯面から離間しており、
上記駆動力は、複数の上記ギヤのうち最も上方に配置されたギヤである上端ギヤから下方に配置されたギヤに順次伝達されるようになっており、
上記ストッパリングは、上記上端ギヤとともに上記駆動力によって回転駆動
され、
上記ストッパは上記駆動力によって上記ストッパリングが回転駆動されることにより上記ロックレバーとの当接が解除されることを特徴とする請求項３に記載の役物昇降装置。
【請求項５】
上記第２表面は、上記ストッパリングの回転軸を中心とする円弧形状であることを特徴とする請求項３または４に記載の役物昇降装置。
【請求項６】
上記ストッパリングに対して上記第１表面を上記第１当接面に押し付ける方向の付勢力を付与する第２付勢部材を備え、
上記ストッパリングは、上記第２付勢部材の付勢力に反する方向の力が加えられたときに当該ストッパリングとともに回転する上記ギヤに対して相対的に回転可能であり、
上記突出部が上記堤部に当接している状態では上記ストッパにおける上記第２当接面の下端部が上記ロックレバーにおける上記第２表面の上端部に干渉して上記第２表面と上記第２当接面とが面接触せず、上記突出部が上記第２傾斜部に当接しているときに上記第２表面と上記第２当接面とが面接触することを特徴とする請求項３から５のいずれか１項に記載の役物昇降装置。
【発明の詳細な説明】
【技術分野】
【０００１】
本発明は、役物を昇降動作させるための役物昇降装置に関するものである。
【背景技術】
【０００２】
従来、駆動源から伝達される駆動力によって移動動作を行う役物を備えた遊技機が知られている。
【０００３】
例えば、特許文献１には、モータの駆動力によりパチンコ遊技機の上下方向に昇降動作を行う役物が開示されている。
【先行技術文献】
【特許文献】
【０００４】
【特許文献１】特開２０１３−２４８１５０号公報（２０１３年１２月１２日公開）
【発明の概要】
【発明が解決しようとする課題】
【０００５】
ところで、役物を適切に動作させるためには、役物を所定の待機位置で待機させている期間中に役物が自重や外力によって上記待機位置から移動しないように保持しておく必要がある。
【０００６】
しかしながら、上下方向に昇降動作を行う役物の場合、役物の自重や役物に作用する振動等の外力により、役物が所定の待機位置から降下して待機位置からずれてしまう場合がある。すなわち、役物は、一般に、ギヤの減速比に応じた動作抵抗やモータの回転抵抗などによって所定の待機位置から降下しないよう保持されているが、これらの保持手段は保持力が弱いため、振動や外力が作用すると役物が降下してしまう場合がある。
【０００７】
なお、役物に作用する外力としては、例えば、（ｉ）遊技中に生じる各種振動（遊技球の打出しや移動に伴う振動、他の役物の動作に伴う振動、ユーザの動作に起因する振動など）、（ｉｉ）係員が詰まり球の除去等を行う際に誤って役物に接触することによって作用する外力、（ｉｉｉ）遊技機の運搬、設置、移設等の際に作用する外力などが考えられる。
【０００８】
そこで、役物を待機位置で確実に保持するために、役物を待機位置で保持するためのアクチュエータ等を備えることが考えられるが、その場合にはアクチュエータ等の追加により製造コストが増大してしまうという問題が生じる。
【０００９】
本発明は、上記の問題点に鑑みてなされたものであり、その目的は、昇降動作を行う役物が所定の待機位置から降下することを安価な構成で適切に防止することにある。
【課題を解決するための手段】
【００１０】
本発明の一態様にかかる遊技機は、役物が取り付けられたラックと、上記ラックの移動方向に沿って並べて配置された、駆動源から伝達される駆動力を上記ラックに伝達する複数のギヤとを備え、上記駆動力によって上記ラックを昇降動作させる役物昇降装置であって、上記ラックが所定の待機位置に配置されたときに上記ラックの降下を防止するように上記ラックを係止するロックレバーと、上記ラックを係止している状態の上記ロックレバーに当接し、上記ラックの自重または上記ラックに作用する外力によって上記係止が解除されることを防止するストッパとを備えていることを特徴としている。
【００１１】
上記の構成によれば、上記ラックが所定の待機位置に配置されたときに上記ロックレバーが上記ラックを係止する。また、上記ストッパが、上記ラックを係止している状態の上記ロックレバーに当接し、上記ラックの自重または上記ラックに作用する外力によって上記係止が解除されることを防止する。これにより、上記ラックの自重または上記ラックに作用する外力によって上記ラックおよび上記役物が降下することを安価な構成で確実に防止することができる。
【００１２】
また、上記ラックは、上記ロックレバーに当接する突出部を備えており、上記ロックレバーは、下方から上方に向かって上記ストッパから遠ざかる方向に傾斜した第１傾斜部と、上記第１傾斜部よりも上方に設けられた、下方から上方に向かって上記ストッパに近づく方向に傾斜した第２傾斜部と、上記第１傾斜部の上端部と上記第２傾斜部の下端部とを接続する堤部とを備えており、上記ロックレバーにおける上記第２傾斜部よりも上方の位置において上記ロックレバーを回転可能に軸支する回転軸と、上記ロックレバーを上記ストッパから遠ざかる方向に付勢する付勢部材とを備え、上記ロックレバーは、上記突出部が上記第１傾斜部に当接した状態で上記ラックが上方に移動することにより上記ストッパに近づく方向に回転し、上記突出部が上記堤部を超えてさらに上方に移動したときに上記付勢部材の付勢力により上記ストッパから遠ざかる方向に回転し、上記第２傾斜部を上記突出部に押し当てることで上記ラックを係止する構成であってもよい。
【００１３】
上記の構成によれば、上記ラックが自重または外力によって上記待機位置から降下することを簡単かつ安価な構成により防止することができる。
【００１４】
また、複数の上記ギヤのうちの一つとともに上記駆動力によって回転駆動されるストッパリングを備え、上記ストッパは、上記ストッパリングの外周面から径方向外側に突出するように配置されており、かつ、上記ストッパリングの径方向に沿った第１当接面と、上記ストッパリングの周方向に沿った第２当接面とを備え、上記ロックレバーは、上記第１当接面に当接する第１表面と上記第２当接面に当接する第２表面とを備えており、上記ラックの自重または上記ラックに作用する外力によって上記ロックレバーに当該ロックレバーを上記ストッパに近づく方向に回転させる力が作用したときに、上記第２表面と上記第２当接面とが当接することにより、上記ロックレバーの回転が規制される構成としてもよい。
【００１５】
上記の構成によれば、上記第２表面と上記第２当接面とが当接することにより上記ロックレバーの回転を規制し、上記突出部が上記堤部を超えて上記係止が解除されることを防止できる。
【００１６】
また、上記ラックは、複数の上記ギヤのうち最も下方に配置されたギヤである下端ギヤと噛み合う歯面を備え、複数の上記ギヤのうち上記下端ギヤ以外のギヤは上記歯面から離間しており、上記駆動力は、複数の上記ギヤのうち最も上方に配置されたギヤである上端ギヤから下方に配置されたギヤに順次伝達されるようになっており、上記ストッパリングは、上記上端ギヤとともに上記駆動力によって回転駆動され、上記ストッパは上記駆動力によって上記ストッパリングが回転駆動されることにより上記ロックレバーとの当接が解除される構成であってもよい。
【００１７】
上記の構成によれば、駆動源からの駆動力によって上記ストッパリングを回転駆動することにより上記ストッパと上記ロックレバーとの当接を解除することができる。また、上端ギヤの回転が開始されてから下端ギヤの回転が開始されてラックが移動し始めるまでには、各ギヤ間のバックラッシ（歯面間の隙間）によって時間差が生じる。このため、上端ギヤおよびストッパリングを回転させてストッパとロックレバーとの当接を解除してからラックを降下開始させることができるので、ラックの待機位置からの降下動作をスムーズに行わせることができる。
【００１８】
また、上記第２表面は、上記ストッパリングの回転方向に沿った形状であってもよい。
【００１９】
上記の構成によれば、上記第２表面が上記ストッパリングの回転軸を中心とする円弧形状なので、上記係止を解除する際に、上記駆動力によって上記ストッパリングを回転させることで上記第２表面と上記第２当接面との間に滑りを生じさせて上記第２表面と上記第２当接面との当接状態を容易に解除することができる。
【００２０】
また、上記ストッパリングに対して上記第１表面を上記第１当接面に押し付ける方向の付勢力を付与する第２付勢部材を備え、上記ストッパリングは、上記第２付勢部材の付勢力に反する方向の力が加えられたときに当該ストッパリングとともに回転する上記ギヤに対して相対的に回転可能であり、上記突出部が上記堤部に当接している状態では上記ストッパにおける上記第２当接面の下端部が上記ロックレバーにおける上記第２表面の上端部に干渉して上記第２表面と上記第２当接面とが面接触せず、上記突出部が上記第２傾斜部に当接しているときに上記第２表面と上記第２当接面とが面接触する構成としてもよい。
【００２１】
上記の構成によれば、上記突出部が上記堤部に当接している状態では上記ストッパにおける上記第２当接面の下端部が上記ロックレバーにおける上記第２表面の上端部に干渉して上記第２表面と上記第２当接面とが面接触せず、上記突出部が上記第２傾斜部に当接しているときに上記第２表面と上記第２当接面とが面接触する。これにより、ラックの昇降動作に応じてストッパとロックレバーとの相対位置を適切に規定することができる。
【発明の効果】
【００２２】
上記の遊技機によれば、ラックの自重またはラックに作用する外力によってラックおよび役物が降下することを、安価な構成で確実に防止することができる。
【図面の簡単な説明】
【００２３】
【図１】本発明の一実施形態に係る役物昇降装置を備えた遊技機の構成を示す説明図である。
【図２】図１に示した遊技機に備えられる役物昇降装置の構成を示す説明図である。
【図３】図２に示した役物昇降装置に備えられるギヤおよびストッパリングの構成を示す説明図である。
【図４】図２に示した役物昇降装置における降下動作中の状態を示す説明図である。
【図５】図２に示した役物昇降装置における降下動作中の状態を示す説明図である。
【図６】図２に示した役物昇降装置における降下動作中の状態を示す説明図である。
【図７】図２に示した役物昇降装置における上昇動作中の状態を示す説明図である。
【図８】図２に示した役物昇降装置における上昇動作中の状態を示す説明図である。
【図９】図８におけるストッパとロックレバーとの当接部の拡大図である。
【図１０】図２に示した役物昇降装置における上昇動作中の状態を示す説明図である。
【発明を実施するための形態】
【００２４】
本発明の一実施形態について説明する。
【００２５】
（１−１．遊技機１の全体構成）
図１は、本実施形態にかかる遊技機１の構成を示す説明図である。なお、本実施形態では、本発明を遊技機の一例であるパチンコ機に適用する場合について説明するが、本発明の適用対象はこれに限るものではなく、例えば、スロット機、各種ゲーム機、各種展示装置等に適用することもできる。
【００２６】
図１に示したように、遊技機１は、遊技領域１１、表示装置１２、ハンドル１３、上皿１４、下皿１５、および役物（可動役物）１６などを備えている。
【００２７】
遊技領域１１は、ハンドル１３によって打ち出された遊技球（遊技媒体）が移動する領域である。
【００２８】
ハンドル１３は、遊技球の発射操作を行うための装置であり、利用者がハンドル１３を捻った状態で保持すると、遊技球が連続発射されて遊技領域１１に打ち出される。
【００２９】
上皿１４には、遊技によって獲得した遊技球が貯留され、下皿１５には上皿１４から溢れた遊技球が貯留される。また、下皿１５には遊技球を排出する排出口と排出口の開閉を行う排出シャッターとが設けられており（いずれも図示せず）、利用者が排出シャッターを開く操作を行うことにより、下皿１５に貯留された遊技球が下皿１５から当該下皿１５の下方に排出される。
【００３０】
表示装置１２には、遊技の状態に応じた各種演出画像や利用者に提示する操作ガイド情報などの各種画像や各種情報が表示される。
【００３１】
役物１６は、後述する役物昇降装置２０により鉛直方向に昇降動作を行うように備えられている。なお、役物１６は、非駆動時には鉛直方向の動作経路の上部に設定された所定の待機位置（元位置）に保持されるようになっている。
【００３２】
なお、遊技機１の各部の動作は、遊技機１に備えられる制御部（図示せず）によって制御される。上記制御部は、例えば、ＣＰＵ（Central Processing Unit）等からなり、遊技機１に備えられる各種センサの検出結果、およびＲＯＭ等の記憶手段（図示せず）に格納されたプログラムや各種データなどに基づいて当該遊技機１の各部の動作を制御する。例えば、上記制御部は、遊技の進行状況や遊技上の抽選結果等に応じて遊技機１に備えられる役物１６や電飾部材等の動作を制御する。
【００３３】
（１−２．役物昇降装置２０の構成）
図２は、役物昇降装置２０の構成を示す説明図である。この図に示すように、役物昇降装置２０は、ラック３０、ロックレバー４０、ギヤ５０〜５５、およびストッパリング６０を備えている。
【００３４】
ラック３０は、役物１６の移動方向（鉛直方向）に沿って移動する棒状（あるいは板状）の部材であり、移動方向に沿った側端面のうちの一つの面にはギヤ５５と噛み合うように形成された多数の歯からなる歯面３１が形成されている。
【００３５】
ギヤ５０〜５５は、ラック３０の移動方向に沿って上方から下方に向かってこの順で配置されており、ギヤ（下端ギヤ）５５がラック３０の歯面３１と噛み合っている。また、ギヤ（上端ギヤ）５０は図示しないモータ（駆動源）に直接または他のギヤ（図示せず）を介して接続されており、モータからの駆動力によってギヤ５０が回転すると、その駆動力がギヤ（連結ギヤ）５１〜５４を介してギヤ５５に伝達され、ギヤ５５を介してラック３０に伝達される。
【００３６】
また、ラック３０の一部は役物昇降装置２０に設けられた鉛直方向に沿って形成された溝２１に挿入されており、モータの駆動力が伝達されることにより、この溝２１に沿ってラック３０および役物１６が鉛直方向に昇降動作を行うようになっている。なお、本実施形態では、役物１６の移動方向（溝２１の形成方向）を鉛直方向としているが、必ずしも厳密に鉛直方向である必要はなく、鉛直方向に対して傾斜した方向であってもよい。
【００３７】
ロックレバー４０は、役物昇降装置２０の筐体に固定された回転軸４１によって回転可能に軸支されている。また、ロックレバー４０は、バネ（付勢部材）４２によって図２に示した矢印Ａ方向に引っ張られている。これにより、ロックレバー４０は、ラック３０および役物１６が所定の待機位置（図２に示した位置）に配置されたときにラック３０に設けられた係止ボス（突出部）３２に係合し、自重または外力によってラック３０が降下することを防止する。
【００３８】
具体的には、図２に示したように、ロックレバー４０の下端部には、下方から上方に向かってギヤ５０〜５５から遠ざかる方向に傾斜した第１傾斜部４４ａと、第１傾斜部４４ａよりも上方に設けられた、下方から上方に向かってギヤ５０〜５５に近づく方向に傾斜した第２傾斜部４４ｃと、第１傾斜部４４ａの上端部と第２傾斜部４４ｃの下端部とを接続する堤部４４ｂとからなる係止部４４が設けられている。
【００３９】
これにより、待機位置では、第２傾斜部４４ｃがバネ４２の引張力によって係止ボス３２に押し当てられ、係止ボス３２が係止部４４に引掛けられてラック３０がロックレバー４０に係止されるようになっている。
【００４０】
図３は、ギヤ５０およびストッパリング６０の構成を示す説明図である。この図に示すように、ギヤ５０は、ギヤ５０ａおよびギヤ５０ｂの２つの部材から形成されている。
【００４１】
ギヤ５０ａには当該ギヤ５０ａの回転軸方向に突出する円筒部５０ｃと円筒部５０ｃからさらに回転軸方向に突出した係合凸部５０ｄとが設けられており、ギヤ５０ｂには回転軸方向に切り抜かれた係合凹部５０ｅが設けられている。これにより、ギヤ５０ａの係合凸部５０ｄがギヤ５０ｂの係合凹部５０ｅに嵌め込まれ、ギヤ５０ａとギヤ５０ｂとが一体的に回転するようになっている。なお、ギヤ５０ａはギヤ５１と噛み合わされ、ギヤ５０ｂはモータに直接または間接的に接続される。
【００４２】
ストッパリング６０は、中空の略円筒形状を有しており、その中空部分にギヤ５０ａの円筒部５０ｃが貫挿される。また、ストッパリング６０とギヤ５０ａとの間にはバネ６１（第２付勢部材）が挿入されている。また、バネ６１の一端６１ａはギヤ５０ａに固定され、他端６１ｂはストッパリング６０に固定されており、ストッパリング６０はバネ６１によってラック３０を上昇させる際のギヤ５０の回転方向（図３の矢印Ｂ方向）に付勢されている。
【００４３】
これにより、ストッパリング６０は、モータからの駆動力によりギヤ５０とともに回転する。また、ストッパリング６０の外周面の一部には径方向外側に突出したストッパ６２が設けられており、このストッパ６２にロックレバー４０が当接してバネ６１の付勢力に反する方向の外力が加えられると、ストッパリング６０はギヤ５０に対して所定の角度範囲内で相対的に回転できるようになっている。
【００４４】
また、ストッパ６２は、図２に示したように、ストッパリング６０の径方向に沿った第１当接面６２ａと、ストッパリング６０の周方向に沿った第２当接面６２ｂとを備えている。
【００４５】
また、ロックレバー４０におけるストッパリング６０との対向部には、ストッパ６２の第１当接面６２ａに当接する第１表面４３ａと、ストッパ６２の第２当接面６２ｂに当接する第２表面４３ｂとが設けられている。なお、第２表面４３ｂは、ストッパ６２との当接位置においてストッパリング６０の回転軸（回転中心）を中心とする円に略平行な円弧形状になっている。
【００４６】
また、ラック３０が待機位置に配置されている状態では、ギヤ５５の回転方向の位置（角度）はラック３０の歯面３１と噛み合う位置に規定され、ギヤ５０〜５４およびストッパリング６０の位置はギヤ５５の位置と各ギヤ間のバックラッシ（歯面間の隙間）とに応じて決まる。
【００４７】
（１−３．役物昇降装置２０の動作）
（１−３−１．降下動作）
図４は、ラック３０が所定の待機位置（基準位置）に配置されている状態から、モータの駆動力により、ラック３０を降下させるための方向（図４における反時計回りの方向）にギヤ５０を少量（図４の例では９．９°）回転させた状態を示す説明図である。
【００４８】
図４に示したように、ギヤ５０を待機位置からラック３０を降下させるための方向に少量回転させると、ラック３０はロックレバー４０の係止部４４に接触するまで（図４の例では０．５５ｍｍ）降下する。なお、各ギヤ間のバックラッシにより、ギヤ５０がモータの駆動力によって回転し始めた後、所定角度回転するまではラック３０に対してモータからの降下方向への駆動力は実質的に作用しない。
【００４９】
また、この状態では、ラック３０および役物１６の自重によりロックレバー４０に対してギヤ５０側へ回転させようとする力が作用するが、ストッパ６２の第２当接面６２ｂがロックレバー４０の第２表面４３ｂに当接してロックレバー４０のギヤ５０側への回転が規制されるので、ロックレバー４０と係止ボス３２との係止状態は解除されない。したがって、ラック３０および役物１６は、係止ボス３２がロックレバー４０に当接している位置で保持される。
【００５０】
図５は、ギヤ５０を待機位置からラック３０を降下させるための方向にさらに回転させ、ロックレバーの第１表面４３ａから外れる位置（図５の例では１９．９°）まで回転させたときの状態を示す説明図である。
【００５１】
図５に示すように、ストッパリング６０がモータの駆動力により回転してストッパ６２の第１当接面６２ａの位置が基準位置から１９．９°の位置に達すると、ロックレバー４０の第２表面４３ｂとストッパ６２の第２当接面６２ｂとの当接が解除される。これにより、ロックレバー４０は係止ボス３２を係止している位置よりもギヤ５０側に回転可能な状態になり、自重とモータの駆動力とによってラック３０の係止ボス３２からロックレバー４０の第２傾斜部４４ｃに下向きの力が加わり、ロックレバー４０はギヤ５０側に回転する。その結果、ロックレバー４０によるラック３０の係止状態が解除され、ラック３０が降下可能な状態になる。
【００５２】
図６は、ラック３０が昇降動作の動作範囲の最短まで降下した状態を示す説明図である。この図に示すように、係止ボス３２がロックレバー４０との当接部よりも降下すると、ロックレバー４０はバネ４２の引張力によってストッパリング６０から遠ざかる方向に回転し、役物昇降装置２０の筐体に固定された退避ストッパ２２と当接する退避位置まで退避する。ロックレバー４０が退避位置まで退避した状態では、ストッパリング６０が回転してもストッパ６２とロックレバー４０とは当接せず、ロックレバー４０がストッパリング６０の回転に干渉しないようになっている。
【００５３】
（１−３−２．上昇動作）
図７は、ラック３０が上昇してストッパリング６０およびギヤ５０が基準位置まで１９．９°の位置に達した状態を示す説明図である。この位置では、図７に示すように、ラック３０の係止ボス３２がロックレバー４０の堤部４４ｂに当接し、ロックレバー４０がギヤ５０側に押し広げられている。また、ストッパ６２における第２当接面６２ｂの下端部（第１当接面６２ａと第２当接面６２ｂとが成す角部）がロックレバー４０における第２表面４３ｂの上端部（第２表面４３ｂの上端部が成す角部）に干渉し、ストッパリング６０の回転が阻害される。この際、ストッパリング６０はバネ６１によって付勢されており、バネ６１の付勢力に反する方向の外力が加わるとギヤ５０に対して相対的に回転するようになっているので、ストッパリング６０の回転は阻害されて第２表面４３ｂと第２当接面６２ｂとは面接触せず、ギヤ５０はストッパリング６０に対して相対的に回転する。
【００５４】
図８は、図７に示した状態からラック３０がさらに上昇し、係止ボス３２がロックレバー４０の堤部４４ｂの上端部付近に到達した状態を示している。また、図９は、図８におけるロックレバー４０とストッパ６２との当接部を拡大した図である。図８および図９に示す状態では、ロックレバー４０の第１表面４３ａとギヤ５０の基準面（ギヤ５０におけるロックレバー４０がストッパ６２に当接していないときにストッパ６２の第１当接面６２ａと平行になる断面）との成す角度は９．９°になり、ロックレバー４０の第１表面４３ａとストッパ６２の第１当接面６２ａとの成す角度は１６．６°になる。
【００５５】
すなわち、ストッパリング６０がギヤ５０に固定されている場合にはストッパ６２の第１当接面６２ａはギヤ５０の基準面と同位置まで回転するが、本実施形態ではストッパリング６０がバネ６１に付勢された状態でギヤ５０に対して相対的に回転可能に備えられている。このため、ストッパ６２とロックレバー４０とが当接することによりストッパリング６０の退避機構が機能し、ストッパリング６０がロックレバー４０との当接位置（ストッパ６２における第２当接面６２ｂの下端部とロックレバー４０における第２表面４３ｂの上端部とが当接する位置）で停止する一方、ギヤ５０はモータの駆動力により回転を続ける。
【００５６】
図１０は、図８に示した状態からラック３０がさらに上昇し、係止ボス３２がロックレバー４０の堤部４４ｂとの当接部を超えて第２傾斜部４４ｃと当接し始めた状態を示している。この状態では、ロックレバー４０が、第２傾斜部４４ｃと係止ボス３２との当接状態を維持したままバネ４２の付勢力によってギヤ５０から遠ざかる方向に回転する。これにより、ストッパ６２における第２当接面６２ｂの下端部とロックレバー４０における第２表面４３ｂの上端部との干渉が解除される。このため、ストッパリング６０が、バネ６１の付勢力により、第２当接面６２ｂとギヤ５０の基準面とが一致する位置まで回転し、ストッパ６２がロックレバー４０のギヤ５０側への回転を規制する位置（ストッパ６２の第２当接面６２ｂとロックレバー４０の第２表面４３ｂとが当接（面接触）する位置）に移動する。
【００５７】
その後、ギヤ５０をモータの駆動力によってさらに回転させることにより、ラック３０が図２に示した所定の待機位置に配置される。
【００５８】
なお、ラック３０が所定の待機位置に配置されている状態において役物１６あるいはラック３０にラック３０を降下させる方向の外力が加わると、係止ボス３２を介してロックレバー４０に対してギヤ５０側に回転させる方向の力が作用する。しかしながら、この状態では、ロックレバー４０の第２表面４３ｂがストッパ６２の第２当接面６２ｂに当接しているので、ロックレバー４０の回転は阻害される。
【００５９】
また、役物１６あるいはラック３０にラック３０を降下させる方向の外力が加わると、ラック３０からギヤ５５〜５１を介してギヤ５０にストッパリング６０をストッパ６２の第１当接面６２ａがロックレバー４０の第１表面４３ａから離間する方向への力が作用する。この際、ストッパリング６０が回転してストッパ６２とロックレバー４０との当接が解除されるとロックレバー４０がギヤ５０側に回転可能になって係止ボス３２の係止が解除されてしまうが、本実施形態ではストッパ６２の第２当接面６２ｂがロックレバー４０の第２表面４３ｂに強く押し当てられているので、第２当接面６２ｂと第２表面４３ｂとの間に摩擦力が発生し、ストッパリング６０は回転しない。
【００６０】
したがって、役物１６あるいはラック３０にラック３０を降下させる方向の外力が加わっても、ロックレバー４０による係止ボス３２の係止状態が維持されるので、役物１６およびラック３０は降下しない。
【００６１】
なお、モータを駆動させて役物を降下動作させる場合には、ロックレバー４０の第２表面４３ｂが、ストッパ６２との当接位置においてギヤ５０およびストッパリング６０の回転軸（回転中心）を中心とする円弧に略平行になる形状なので、モータの駆動力によってストッパ６２の第２当接面６２ｂとロックレバー４０の第２表面４３ｂとの間に滑りが生じ、ストッパリング６０を容易に回転させることができる。
【００６２】
また、モータからの駆動力によりギヤ５０が回転し始めてから、ギヤ５０の回転駆動力がギヤ５１〜５５を介してラック３０の歯面３１に伝達され、ラック３０がモータの駆動力により降下し始めるまでには、各ギヤ間のバックラッシに応じたタイムラグが生じる。このため、モータの駆動力によりラック３０を待機位置から降下させる際には、ギヤ５０の回転によりストッパ６２とロックレバー４０との当接状態を解除してからラック３０の降下を開始させることができるので、ラック３０の降下動作を円滑に行わせることができる。
【００６３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６４】
本発明は、役物を昇降動作させるための役物昇降装置に利用することができる。
【符号の説明】
【００６５】
１  遊技機
１６  役物
２０  役物昇降装置
３０  ラック
３１  歯面
３２  係止ボス（突出部）
４０  ロックレバー
４１  回転軸
４２  バネ（付勢部材）
４３ａ  第１表面
４３ｂ  第２表面
４４  係止部
４４ａ  第１傾斜部
４４ｂ  堤部
４４ｃ  第２傾斜部
５０  ギヤ（上端ギヤ）
５１〜５４  ギヤ（連結ギヤ）
５５  ギヤ（下端ギヤ）
６０  ストッパリング
６１  バネ（第２付勢部材）
６２  ストッパ
６２ａ  第１当接面
６２ｂ  第２当接面
【図１】
2015208483.tif 000003
【図２】
2015208483.tif 000004
【図３】
2015208483.tif 000005
【図４】
2015208483.tif 000006
【図５】
2015208483.tif 000007
【図６】
2015208483.tif 000008
【図７】
2015208483.tif 000009
【図８】
2015208483.tif 000010
【図９】
2015208483.tif 000011
【図１０】
2015208483.tif 000012